(57)【要約】      （修正有）【課題】引抜き方向の力の影響を減少させる【解決手段】ケーブル用の電気コネクタまたは相手側電気コネクタ向けの電気コンタクトデバイス１００または電気コンタクトユニット１に関し、コンタクトデバイス１００またはコンタクトユニット１は、コンタクトデバイス１００またはコンタクトユニット１をハウジング内にロックするロックばね１２０を備え、コンタクトデバイス１００またはコンタクトユニット１は、コンタクトデバイス１００またはコンタクトユニット１がロックばね１２０によってハウジング内にロックされ、かつハウジング内のコンタクトデバイス１００またはコンタクトユニット１の保持力を超えた場合、ロックばね１２０を垂直方向においてコンタクトデバイス１００またはコンタクトユニット１から離れて位置させることができるように形成される。【選択図】図７
2017168445.tif 000002
【特許請求の範囲】
【請求項１】
特に自動車産業で使用するためのケーブル用の電気コネクタまたは相手側電気コネクタ向けの電気コンタクトデバイス（１００）または電気コンタクトユニット（１）であって、
前記コンタクトデバイス（１００）または前記コンタクトユニット（１）をハウジング（３００）に／内に（ａｔ／ｉｎ）ロックするロックばね／ロックランス（１２０）を備え、
前記コンタクトデバイス（１００）または前記コンタクトユニット（１）が前記ロックばね／ロックランス（１２０）によって前記ハウジング（３００）内にロックされ、かつ前記コンタクトデバイス（１００）または前記コンタクトユニット（１）の保持力を超えた場合、
前記ロックばね／ロックランス（１２０）を垂直方向（Ｈ）において前記コンタクトデバイス（１００）または前記コンタクトユニット（１）から離れて位置させることができるように形成されることを特徴とする電気コンタクトデバイス（１００）または電気コンタクトユニット（１）。
【請求項２】
前記ロックばね（１２０）の弾性変形性が、意図的に調整され、
前記弾性変形性が、前記コンタクトデバイス（１００）もしくは前記コンタクトユニット（１）の成形によって意図的に調整され、
前記弾性変形性が、前記垂直方向（Ｈ）における前記ロックばね（１２０）の質量分布によって意図的に調整され、
前記ロックばね（１２０）の塑性変形性が、意図的に調整され、
前記塑性変形性が、前記コンタクトデバイス（１００）もしくは前記コンタクトユニット（１）の成形によって意図的に調整され、
前記塑性変形性が、前記垂直方向（Ｈ）における前記ロックばね（１２０）の質量分布によって意図的に調整される、かつ／または
前記保持力を超えた場合、前記ロックばね（１２０）をその挿入面（１０１）の方向に変形させる
ことができるように形成されることを特徴とする、請求項１に記載の電気コンタクトデバイス（１００）または電気コンタクトユニット（１）。
【請求項３】
前記ロックばね（１２０）の前記弾性変形性および／または前記塑性変形性は、
前記コンタクトデバイス（１００）もしくは前記コンタクトユニット（１）内の前記ロックばね（１２０）に対する支持部（１３４／２３４）の位置（Ｌ１２４）によって意図的に調整され、
複数の部分（１３０／１４０）への前記ロックばね（１２０）の分割によって意図的に調整され、
長手方向（Ｌ）における複数の部分（１３０／１４０）への前記ロックばね（１２０）全体の分割によって意図的に調整され、
２つのロックばね部分（１３０、１４０）の重心の長手方向の距離（Ｌ）および／もしくは垂直方向の距離（Ｈ）によって意図的に調整され、かつ／または
前記ロックばね部分（１３０、１４０）の前記長手方向の長さ（Ｌ）および／もしくは長手方向の長さ指数によって意図的に調整されることを特徴とする、請求項１または２に記載の電気コンタクトデバイス（１００）または電気コンタクトユニット（１）。
【請求項４】
前記ロックばね（１２０）は、２つのロックばね部分（１３０、１４０）に分割され、前記２つのロックばね部分（１３０、１４０）は、前記ロックばね（１２０）の屈曲点（１３９）で互いに接続され、屈曲角（α）をともに囲み、
好ましくは、前記ロックばね（１２０）の前記変形性を調整するための前記ロックばね（１２０）内の前記屈曲点（１３９）の位置が、屈曲点の複数の可能な位置から特に選択され、かつ／または
好ましくは、前記ロックばね（１２０）の前記変形性を調整するための前記コンタクトデバイス（１００）もしくは前記コンタクトユニット（１）内の前記ロックばね（１２０）の前記支持部（１３４／２３４）の位置（Ｌ１２４）が、支持部（１３４／２３４）の複数の可能な位置から特に選択されることを特徴とする、請求項１から３のいずれか一項に記載の電気コンタクトデバイス（１００）または電気コンタクトユニット（１）。
【請求項５】
前記２つのロックばね部分（１３０、１４０）間、特に２つのロックばね長手方向端部（１３０、１４０）間の前記屈曲点（１３９）の位置、
前記コンタクトデバイス（１００）もしくは前記コンタクトユニット（１）内の前記ロックばね（１２０）の前記支持部（１３４／２３４）の位置（Ｌ１２４）、ならびに／または
自由なロックばね長手方向端部（１４０）の特徴値および取り付けられたロックばね長手方向端部（１３０）の特徴値からの指数は、
前記ロックばね（１２０）を垂直方向（Ｈ）において前記コンタクトデバイス（１００）もしくは前記コンタクトユニット（１）から離れて位置させることができ、
前記ロックばね（１２０）の弾性変形性が、意図的に調整され、
前記ロックばね（１２０）の塑性変形性が、意図的に調整され、かつ／または
前記保持力を超えた場合、前記ロックばね（１２０）をその挿入面（１０１）の方向に変形させることができるように、前記ロックばね（１２０）内に配置される
ことを特徴とする、請求項１から４のいずれか一項に記載の電気コンタクトデバイス（１００）または電気コンタクトユニット（１）。
【請求項６】
前記取り付けられたロックばね長手方向端部（１３０）の長さＬ１３０、特に全長Ｌ１３０は、式Ｌ１３０＝ｃ＊Ｌ１２４によって計算することができ、
Ｌ１２４は、前記コンタクトデバイス（１００）または前記コンタクトユニット（１）の／内の（ａｔ／ｉｎ）前記ロックばね（１２０）の締付け点（Ｌ１２４＝Ｌ１３０）に対する前記支持部（１３４／２３４）の支持端点（２３４）の長手方向の距離（Ｌ１２４）であり、
係数ｃは、実質的に、１．０００、約１．０１、約１．０５、約１．１、約１．１５、約１．２、約１．２５、約１．３、約１．４、約１．５、約１．７５、約２、約２．２５、約２．５以上であることを特徴とする、請求項１から５のいずれか一項に記載の電気コンタクトデバイス（１００）または電気コンタクトユニット（１）。
【請求項７】
前記自由なロックばね長手方向端部（１４０）の長さ（Ｌ１４０）、特に全長（Ｌ１４０）および前記取り付けられたロックばね長手方向端部（１３０）の長さ（Ｌ１３０）、特に全長（Ｌ１３０）からの指数は、約１．０５、約１．１、約１．１５、約１．２、約１．２５、約１．３、約１．３５、約１．４、約１．４５、約１．５より大きいことを特徴とする、請求項１から６のいずれか一項に記載の電気コンタクトデバイス（１００）または電気コンタクトユニット（１）。
【請求項８】
前記自由なロックばね長手方向端部（１４０）は、その自由な長手方向端部にハウジング接続部分（１４８）を有し、前記ハウジング接続部分（１４８）によって、前記長手方向（Ｌ）において前記ハウジング（３００）のロックユニット（３２０）に前記ロックばね（１２０）を配置することができ、かつ／または
前記自由なロックばね長手方向端部（１４０）もしくはその自由端の前記ハウジング接続部分（１４８）は、ロックユニット（１４９）を有し、前記ロックユニット（１４９）によって、前記垂直方向（Ｈ）において前記ハウジング（３００）の前記ロックユニット（３２０）に前記ロックばね（１２０）を配置することができることを特徴とする、請求項１から７のいずれか一項に記載の電気コンタクトデバイス（１００）または電気コンタクトユニット（１）。
【請求項９】
前記コンタクトデバイス（１００）は、一体形成され、
前記コンタクトユニット（１）は、一体形成されもしくは物質的に単体として形成され、
前記ロックばね（１２０）は、前記コンタクトデバイス（１００）もしくは前記コンタクトユニット（１）と一体形成され、
前記ロックばね（１２０）は、コンタクトばねカラー（１１０）と一体形成され、
前記取り付けられたロックばね長手方向端部（１３０）は、前記支持部（１３４／２３４）の上へ突出し、
前記コンタクトユニット（１）のコンタクトデバイス（１００）は、前記ハウジング（３００）に／内に（ａｔ／ｉｎ）前記コンタクトユニット（１）をロックする前記ロックばね（１２０）を備え、かつ／または
前記コンタクトユニット（１）の前記コンタクトデバイス（１００）は、請求項１から８のいずれか一項に記載のように形成される
ことを特徴とする、請求項１から８のいずれか一項に記載の電気コンタクトデバイス（１００）または電気コンタクトユニット（１）。
【請求項１０】
特に自動車産業で使用するためのケーブル用の電気コネクタまたは相手側電気コネクタ、好ましくは電気ミニコネクタまたは相手側電気ミニコネクタであって、
ハウジング（３００）ならびに少なくとも１つの電気コンタクトデバイス（１００）または少なくとも１つの電気コンタクトユニット（１）を有し、
前記電気コンタクトデバイス（１００）または前記電気コンタクトユニット（１）は、請求項１から９のいずれか一項に記載のように形成されることを特徴とする電気コネクタまたは相手側電気コネクタ。
【請求項１１】
特に自動車産業で使用するための既製の電気ケーブル、好ましくは既製の銅および／またはアルミニウムの電気ケーブルであって、前記既製のケーブルは電気ケーブルを備え、
請求項１から１０のいずれか一項に記載の少なくとも１つの電気コンタクトデバイス（１００）、少なくとも１つの電気コンタクトユニット（１）、電気コネクタ、および／または相手側電気コネクタを有することを特徴とする既製の電気ケーブル。
【請求項１２】
特に自動車産業で使用するためのユニット、モジュール、器具、装置、設備、またはシステムであって、
請求項１から１１のいずれか一項に記載の少なくとも１つの電気コンタクトデバイス（１００）、少なくとも１つの電気コンタクトユニット（１）、電気コネクタ、相手側電気コネクタ、および／または既製の電気ケーブルを有することを特徴とするユニット、モジュール、器具、装置、設備、またはシステム。
【発明の詳細な説明】
【技術分野】
【０００１】
本発明は、特に自動車産業で使用するためのケーブル用の電気コネクタまたは相手側電気コネクタ向けの電気コンタクトデバイスまたは電気コンタクトユニットに関する。さらに、本発明は、ケーブル、既製の電気ケーブル、好ましくは既製の銅および／もしくはアルミニウムの電気ケーブル用の電気コネクタもしくは相手側電気コネクタ、好ましくは電気ミニコネクタもしくは相手側電気ミニコネクタ、ならびに／または特に自動車産業で使用するためのユニット、モジュール、器具、装置、設備、もしくはシステムに関する。
【背景技術】
【０００２】
電気産業（電子技術、電気工学、電気機器、電力工学など）では、広い範囲の電流、電圧、周波数、および／またはデータ転送速度で電流、電圧、信号、および／またはデータを伝送する働きをする多数の電気コネクタデバイスおよび／またはコネクタユニット、ソケットおよび／またはピンコネクタなど（以下、（電気）（相手側）コネクタと呼ぶ）が知られている。低、中、または高の電圧および／または電流の範囲において、特に自動車産業では、そのようなコネクタは、温かい、場合により高温の、汚染された、湿気の多い、かつ／または化学的にアグレッシブな環境で、恒久的に、繰返し、かつ／または比較的長いサービス寿命後に、遅延なく、電力、信号、および／またはデータの伝送を確実にしなければならない。適用分野の範囲が広いため、多数の特別に設計されたコネクタがよく知られている。
【０００３】
そのようなコネクタ、またはむしろそれらのハウジングは、電気ケーブル、ワイヤ、ケーブルハーネスなどの上に設置することができ、かつ／または（電力）電気的、電気光学的、もしくは電子的な構成要素もしくはそのような機器などの電気ユニットもしくはデバイス上、たとえばハウジング内、リードフレーム上、プリント回路基板上などに設置することができる。後者の場合、これは（相手側）コネクタユニットとして知られていることが多い。コネクタがケーブル、ワイヤ、および／またはケーブルハーネス上のみに位置する場合、これは通常、（フライング）（プラグイン）コネクタまたはプラグまたは継手として知られており、コネクタが電気的、電子的、および／または電気光学的な構成要素上／内に位置する場合、これは通常、（内蔵）コネクタ、（内蔵）プラグ、または（内蔵）ソケットとして知られている。さらに、そのようなユニットへのコネクタは、プラグレセプタクルまたはヘッダと呼ばれることも多い。
【０００４】
電気コネクタは、電気信号（電圧）および／または電力の完全な伝送を確実にしなければならず、互いに対応するコネクタ（コネクタおよび相手側コネクタ）は通常、コネクタを相手側コネクタ内に長期間であるが通常は解放可能に締結またはロックするための締結配置またはロック配置を有する。さらにそれらの中には、たとえば実際の電気コンタクトデバイス（通常は、一体形成される）および／または実際の電気コンタクトユニット（通常は、複数の部分から形成され、単体で形成され、もしくは物質的に単体として形成される）などの対応する電気コンタクト要素（端子）を確実に受け取らなければならない。コネクタのハウジングは通常、たとえばＦＡＫＲＡ規格または異なる規格などの特定の規格に準拠するため、ハウジングの最も重要な寸法は、異なる製造者の間で同じ寸法を有する。
【０００５】
電気コネクタを改善し、電気コネクタをより小さくし、かつ／またはより費用効果の高い電気コネクタを形成するために、絶え間ない取組みが進行中である。同時に、関連するケーブルおよび／またはコンタクトデバイスもしくはコンタクトユニットの断面の小型化も絶え間なく進行している。したがって、それらの設置空間をより小さくし、場合により当該ワイヤの特定の断面の利用を可能にし、ならびにそれらの設置空間を所与の最大アンペア数（電流容量）に対して可能にし、資源、特に銅を節約するために、ケーブルおよびそれらのコンタクトデバイスまたはコンタクトユニットの寸法を低減させるための取組みが進行中である。さらに、小型化の結果、重量が減ることが望ましい。
【０００６】
特に自動車産業では、搭載された電気システム（車両（自動車、自動二輪車、建設車両、特別車両、鉄道車両、航空機、船舶など）内のすべての電気的および電子的な構成要素の全体）にとって、コンタクトデバイスまたはコンタクトユニット（端子としても知られている）に対する電気ワイヤの簡単、高速、かつ量産可能な接続が望ましい。小型化により、ハウジング内にロックされたそれぞれのコンタクトデバイスまたはそれぞれのコンタクトユニットのケーブル上に生じる力、特に引抜き方向の力が、ハウジング内のコンタクトデバイスまたはコンタクトユニットの確実なロックに与える影響がますます大きくなる。
【発明の概要】
【発明が解決しようとする課題】
【０００７】
本発明の目的は、特に自動車産業で使用するためのケーブル用の電気コネクタまたは相手側電気コネクタ向けの改善された電気コンタクトデバイスおよび改善された電気コンタクトユニットを特定することである。この場合、ケーブル、したがってそれぞれのコンタクトデバイスおよび／またはそれぞれのコンタクトユニットに／上に（ａｔ／ｏｎ）かかる力、特に引抜き方向の力の影響を減少させるべきであり、それぞれのコンタクトデバイスおよび／またはそれぞれのコンタクトユニットの製造および後の嵌合は、高い費用効果で行うべきである。さらに、対応する電気（ミニ）（相手側）コネクタ、ならびに対応する既製の電気ケーブル、好ましくは既製の銅および／またはアルミニウムの電気ケーブルを、特定することが意図される。
【０００８】
本発明の目的は、独立請求項による、好ましくは自動車産業で使用するための、電気コネクタまたは相手側電気コネクタ向けの電気コンタクトデバイスまたは電気コンタクトユニット、ケーブル用の電気コネクタまたは相手側電気コネクタ、好ましくは電気ミニコネクタまたは相手側電気ミニコネクタ、既製の電気ケーブル、好ましくは既製の銅および／またはアルミニウムの電気ケーブル、ならびにユニット、モジュール、器具、装置、設備、またはシステムによって実現される。本発明の有利なさらなる発展形態、追加の特徴、および／または利点は、従属請求項および以下の説明から明らかになるであろう。
【課題を解決するための手段】
【０００９】
本発明のコンタクトデバイスまたは本発明のコンタクトユニットは、コンタクトデバイスまたはコンタクトユニットをハウジングに／内に（ａｔ／ｉｎ）ロックするロックばね／ロックランスを備え、すなわちロックばね／ロックランスを含むコンタクトデバイスまたはコンタクトユニットは、好ましくは、コンタクトデバイスまたはコンタクトユニットがロックばね／ロックランスによってハウジング内にロックされまたはロックされることが可能であり、かつハウジング内のコンタクトデバイスまたはコンタクトユニットの保持力を超えた場合、ロックばね／ロックランスを垂直方向においてコンタクトデバイスまたはコンタクトユニットから離れて位置させることができるように形成される。
【００１０】
これは、事前に設置されたコンタクトデバイスまたはコンタクトユニットの場合、ハウジングから引き抜かれた後一時的に、当然ながらロックばねが抜き出された後にハウジングがロックばねを再び内向きに曲げていないという条件でのみ、ロックばねは、好ましくは少なくとも部分的にコンタクトデバイスまたはコンタクトユニットから離れて位置することを意味する。ここでは、本発明のコンタクトデバイスは、コンタクトユニットの一部または本発明のコンタクトユニットの一部分とすることができ、すなわちコンタクトユニットは、２つの部分から形成することができる。当然ながら、コンタクトユニットは、単一の部分からなることもできる（下記参照）。
【００１１】
ハウジング内のコンタクトデバイスまたはコンタクトユニットの保持力（（許容される）抜出し力）を超えることは、特定のコンタクトデバイスまたは特定のコンタクトユニットに対する（個々の）静止摩擦力が、コンタクトデバイスまたはコンタクトユニットがハウジング内のそのコンタクトチャンバから動き始める位置から始まることを意味すると理解されたい。ロックばねは、この時点で少なくとも弾性変形し（抜出し力、引出し力）、ロックばねは、コンタクトチャンバからの距離が増大するとすぐ、またはそれぞれ静止摩擦力（抜出し力、引出し力）が上昇すると、さらに塑性変形し始める。
【００１２】
これは、コンタクトデバイスもしくはコンタクトユニットおよび／またはロックばねが、好ましくは、許容される静止摩擦力（保持力、抜出し力）を超えた場合、場合によりハウジングに／内に（ａｔ／ｉｎ）ロックされまたはロックされることが可能なコンタクトデバイスまたはコンタクトユニットが力によってハウジングから引き抜かれまたは抜き出された場合、ロックばねは、引抜き（抜出し）後、一時的に垂直方向にコンタクトデバイスまたはコンタクトユニットから離れて位置することが可能になり、または場合により位置するように形成されることを意味する。
【００１３】
ロックばねに対応するロックユニットは、ハウジング内に、たとえば、壁、ロック肩部、ロック縁部、ロックフック、ロック突起、ロックリムなどから形成することができる。コンタクトデバイスまたはコンタクトユニットは、この場合、たとえば、１．０ｍｍ〜１．４ｍｍ、特に１．２ｍｍのコンタクトデバイスもしくはコンタクトユニット、ＭＣＯＮコンタクトデバイスもしくはＭＣＯＮコンタクトユニット、および／またはソケットコンタクトデバイスもしくはソケットコンタクトユニットとして形成することができる。当然ながら、たとえば０．５ｍｍ、２．８ｍｍ、６．３ｍｍ、８ｍｍ、９ｍｍ、９．５ｍｍのコンタクトデバイスまたはコンタクトユニットなど、別のコンタクトデバイスまたは別のコンタクトユニットを使用することも可能である。
【００１４】
コンタクトデバイスまたはコンタクトユニットの好ましくは所与の形状、ならびに長手方向、横断方向、および／または垂直方向におけるロックばね全体の所与の質量分布（補剛ユニット、下記参照）の場合、コンタクトデバイスまたはコンタクトユニットは、次のように形成することができる。ここでは、ロックばねは、たとえば補剛溝または補剛リブなどの補剛ユニットを含みまたは含まず、補剛ユニットは、好ましくは、ロックばねに／内に（ａｔ／ｉｎ）一体化される。この場合、コンタクトデバイスまたはコンタクトユニットは、保持力を超えた場合、ロックばねをその挿入面の方向に変形させることができるように形成されることが好ましい。これは、コンタクトデバイスまたはコンタクトユニットがハウジングから引き抜かれた後一時的に、ロックばねがその挿入面の方向に変形することを意味する。
【００１５】
さらに、コンタクトデバイスまたはコンタクトユニットは、ロックばねの弾性変形性が、意図的に調整され、この弾性変形性が、コンタクトデバイスもしくはコンタクトユニットを成形することによって意図的に調整され、かつ／またはこの弾性変形性が、垂直方向におけるロックばねの質量分布によって意図的に調整されるように形成することができる。ここでは、コンタクトデバイスまたはコンタクトユニットの所与の材料により、ロックばねの弾性変形性は、比較的高くするべきであり、すなわち弾性変形性が意図的に調整されない類似のロックばねと比較して高くするべきである。
【００１６】
さらに、コンタクトデバイスまたはコンタクトユニットは、ロックばねの塑性変形性が、意図的に調整され、この塑性変形性が、コンタクトデバイスもしくはコンタクトユニットを成形することによって意図的に調整され、かつ／またはこの塑性変形性が、垂直方向におけるロックばねの質量分布によって意図的に調整されるように形成することができる。この場合、コンタクトデバイスまたはコンタクトユニットの所与の材料により、ロックばねの塑性変形性は、比較的高く、すなわち、塑性変形性が意図的に調整されない類似のロックばねと比較すると高い。ロックばねは、ハウジングから引き抜かれるとき、弾性変形および塑性変形することができ、またはそれぞれ、ロックばねは、引き抜かれた後に一時的に塑性変形する。
【００１７】
この場合も、コンタクトデバイスまたはコンタクトユニットの好ましくは所与の形状、ならびに長手方向、横断方向、および／または垂直方向におけるロックばね全体の所与の質量分布（補剛ユニット、下記参照）の場合、ロックばねは、次のように形成することができる。ここでは、ロックばねは、ロックばねに／内に（ａｔ／ｉｎ）たとえば補剛溝または補剛リブなどの補剛ユニットを含みまたは含まないと考慮することができる。
【００１８】
いくつかの実施形態では、ロックばねの弾性変形性および／または塑性変形性は、とりわけロックばねに対する支持部の（端部）位置によって、コンタクトデバイスまたはコンタクトユニット内で意図的に調整することができる。ロックばねの曲げおよび弛緩のために、支持部の（端部）位置、すなわちロックばねの機械的な接点または機械的な接触領域は、コンタクトデバイスまたはコンタクトユニット内で移動することができる。ここでは、支持部は、好ましくは、ロックばねの一部分に対する当接部と考えられる。
【００１９】
さらに、追加または別法として、ロックばねの弾性変形性および／または塑性変形性は、いくつかの実施形態では、複数の部分へのロックばねの分割および／または長手方向における複数の部分へのロックばね全体の分割によって、意図的に調整することができる。いくつかの実施形態では、ロックばねの弾性変形性および／または塑性変形性は、支持部の（端部）位置と複数の部分への分割とによって意図的に調整することができる。さらに、追加または別法として、ロックばねの弾性変形性および／または塑性変形性は、２つのロックばね部分の重心の長手方向の距離および／もしくは垂直方向の距離、ならびに／またはロックばね部分の長手方向の長さおよび／もしくは長手方向に向けられた長さ指数によって意図的に調整することができる。
【００２０】
当然ながら、ロックばねの弾性変形性および／または塑性変形性の意図的な調整のために、ロックばね部分の断面もしくは断面の一部またはそれらの指数をそのまま使用することもできる。別法または追加として、ロックばね部分の体積および／もしくは体積指数、ならびに／またはロックばね部分の面積モーメントもしくは面積モーメントの一部、またはそれらの指数を使用することもできる。
【００２１】
面積モーメントは、ロックばね部分の場合により平均の断面特徴値を意味すると理解されたい。このタイプの断面特徴値は、断面積の形状がロックばねの特徴（たとえば、曲げ、捩じれ、アーチング、座屈などの弾性変形性および／または塑性変形性）にどのように影響を及ぼすかを示す。このタイプの面積モーメントは、第０次面積モーメント（断面積）、第１次面積モーメント（静モーメント）、または第２次面積モーメント（断面二次モーメント、弾性率）とすることができる。同じことを、当該ロックばね部分の面積モーメントまたはむしろその一部分の一部に適用することができる。
【００２２】
ロックばねの変形性の意図的な調整は、たとえば測定、計算、および／またはシミュレーションなどによるロックばねの事前設計を意味すると理解されたい。ここでは、ロックばねの設計、したがってその弾性変形性および／または塑性変形性の調整は、高度な将来計画および／または特定の目標に向けた作業によって実施される。これは、ロックばねの設計が、単にコンタクトデバイスもしくはコンタクトユニットおよび／またはハウジング内にロックばねに利用可能な空間（寸法）があるために生じるのではなく、ロックばねに利用可能な空間が、本発明によって特に使用されることを意味する。これはまた、それに応じて、ロックばねの本発明の構造に対して、ロックばねを曲げるユニット（屈曲点、下記参照）を提供することができまたは提供することを意味する。
【００２３】
ロックばねは、好ましくは、コンタクトデバイスまたはコンタクトユニットから切断されて自由であり、長さ方向側、横断方向側、および／または上側でコンタクトデバイスまたはコンタクトユニットに合体する。ここでは、ロックばねの少なくとも１つの可撓性部分が、ロックばねが応力を受けない状態で、実質的にコンタクトデバイスまたはコンタクトユニットに対して両方の垂直方向に、自由に動くことができる。ロックばねの可撓性部分は、少なくとも１つの自由なロックばね部分（下記参照）からなることができ、さらに、取り付けられたロックばね部分（同様に下記参照）の少なくとも１つの部分、したがって２つのロックばね部分間の屈曲点（この場合も下記参照）を、ロックばねのこの可撓性部分と連結させることができる。
【００２４】
好ましくは、取り付けられたロックばね部分（すなわち、ロックばねのうち、屈曲点に対して自由なロックばね部分に対向する部分、下記参照）は、１つの方向、特に上昇方向にのみ、コンタクトデバイスまたはコンタクトユニット内でロックばねに対する支持部によって支持され、したがって支持部によってこの方向にのみ動くことが防止される。その結果、取り付けられたロックばね部分の内向きの撓み（内向きに跳ねること）を防止することができ、その結果、自由なロックばね部分のばね挙動に悪影響を与えなくなる。ここでは、取り付けられたロックばね部分の一部分（両側で取り付けられる）は、この支持部、すなわち取り付けられたロックばね部分のうち、ロックばね内の屈曲点（下記参照）と支持部の端点との間の領域から離れることができる。
【００２５】
ロックばねは、２つのロックばね部分に分割することができ、２つのロックばね部分は、ロックばねの屈曲点で互いに接続され、屈曲角をともに囲む。ここでは、ロックばね内の屈曲点の位置は、ロックばねの変形性を調整するように、屈曲点の複数の可能な位置から意図的に選択することができる（上記参照）。さらに、追加または別法として、コンタクトデバイスまたはコンタクトユニット内のロックばねの支持部の位置は、ロックばねの変形性を調整するように、支持部の複数の可能な位置から意図的に選択することができる（上記参照）。
【００２６】
ロックばねのうち、コンタクトデバイス（たとえば、コンタクトばね、コンタクト本体など）またはコンタクトユニット（たとえば、場合によりコンタクトばねレセプタクルおよびコンタクトデバイスなど）上へ取り付けられた部分は、取り付けられたロックばね長手方向（端）部とも呼ばれ、ロックばねのうち、屈曲点でこれに接続された部分は、自由なロックばね長手方向（端）部とも呼ばれる。ここでは、ロックばねの取り付けられた長手方向（端）部はやはり、認識可能に、著しく、または実質的に、ロックばねのばね特徴に寄与する部分を、実際のコンタクトデバイスまたは実際のコンタクトユニットに／内に（ａｔ／ｉｎ）有することが好ましい。
【００２７】
保持力および／または抜出し力に対するロックばね内の屈曲点の位置に対して、これは、ハウジングの内／外へのコンタクトデバイスまたはコンタクトユニットの抜出し力および／または引抜き力、すなわち（同じく）ロックばねの弾性変形性および／または塑性変形性に対する力をそれに応じて考慮しなければならないことを意味する。ロックばねおよび／またはコンタクトデバイスもしくはコンタクトユニットの特徴（寸法、位置、指数、分布、形状、形状係数など）は、ロックばねとしてロックばねを屈曲点で直接接合するこのタイプの取り付けられたロックばね長手方向（端）部および自由なロックばね長手方向（端）部を有するロックばねに関係するべきである。
【００２８】
このタイプの取り付けられたロックばね長手方向（端）部は、たとえば、実際のコンタクトデバイスまたは実際のコンタクトユニット内でロックばねが長手方向、横断方向（円周方向）、および／または垂直方向に至る位置（締付け点、下記参照）で終わることができる。これは、たとえば、コンタクトデバイスもしくはコンタクトユニットの挿入面の方向において、（レーザ）溶接点の実質的に前（図２〜５の本発明の実施形態例参照）、実質的に中心（図７および図８の本発明の実施形態例参照）、もしくは実質的に後ろに当てはまることができ、または実際のコンタクトデバイスもしくは実際のコンタクトユニットに対して取り付けられたロックばね長手方向（端）部が物質的に実質的に単体になりもしくは一体遷移する位置付近、もしくはちょうどその位置に当てはまることができる。
【００２９】
いくつかの実施形態では、ロックばね内で、２つのロックばね部分間、特に２つのロックばね長手方向端部間の屈曲点の位置、コンタクトデバイスもしくはコンタクトユニット内のロックばねの支持部の位置、ならびに／または自由なロックばね長手方向端部の特徴値および取り付けられたロックばね長手方向端部の特徴値からの指数を、次のように配置することができる。ロックばねは、変形するとき、その結果、垂直方向においてコンタクトデバイスもしくはコンタクトユニットから離れて位置することができ、その結果、ロックばねの弾性変形性は、意図的に調整され、その結果、ロックばねの塑性変形性は、意図的に調整され、および／またはロックばねは、その結果、保持力を超えた場合、その挿入面の方向に変形させることができる。
【００３０】
ロックばね内に配置されるとき、自由なロックばね長手方向端部の特徴値および取り付けられたロックばね長手方向端部の特徴値からの指数は、その２つのロックばね長手方向端部が主にまたは実質的にこの指数に対応するように形成されるロックばねを意味すると理解されたい。
【００３１】
ここでは、したがって、単一の特徴値は、それぞれのロックばね長手方向端部の特徴値、たとえば屈曲点からのロックばね長手方向端部の重心の距離（長手方向、垂直方向、および／もしくは横断方向）、場合によりロックばねのハウジング接続部分を含む好ましくはロックばね長手方向端部全体の長手方向の長さ、屈曲点からのロックばね長手方向端部の断面部の重心の距離（長手方向、垂直方向、および／もしくは横断方向）、ロックばね長手方向端部の（部分的な）体積、屈曲点からのロックばね長手方向端部の体積曲線の重心の距離（長手方向、横断方向、および／もしくは垂直方向）、ロックばね長手方向端部の場合により平均の面積モーメント（長手方向、横断方向、および／もしくは垂直方向）、ならびに／またはロックばね長手方向端部の（部分的な）質量とすることができる。
【００３２】
取り付けられたロックばね長手方向端部の長さＬ１３０、特に全長Ｌ１３０は、式Ｌ１３０＝ｃ＊Ｌ１２４によって計算することができる。ここでは、Ｌ１２４は、コンタクトデバイスまたはコンタクトユニットの／内の（ａｔ／ｉｎ）ロックばねの締付け点に対する支持部の（さらに遠隔の）支持端点２３４の長手方向の距離である。さらに、係数ｃは、実質的に、１．０００、約１．０１、約１．０５、約１．１、約１．１５、約１．２、約１．２５、約１．３、約１．４、約１．５、約１．７５、約２、約２．２５、約２．５以上である。ここでは、ロックばねおよび取り付けられたロックばね長手方向端部の締付け点（上記参照）は、当然ながら同じになる。これはまた、取り付けられたロックばね長手方向端部、屈曲点、および当然ながら自由なロックばね長手方向端部が、支持部の上に突出することを意味する。必要な場合、他の値を使用することもできる。
【００３３】
自由なロックばね長手方向端部の長さ、特に全長、および取り付けられたロックばね長手方向端部の長さ、特に全長からの指数は、約１．０５、約１．１、約１．１５、約１．２、約１．２５、約１．３、約１．３５、約１．４、約１．４５、約１．５より大きくすることができる。特定の実施形態では、取り付けられたロックばね長手方向端部の長さは、約２．１ｍｍ±０．０５ｍｍより大きく、特に約２．１６ｍｍ±０．０５ｍｍより大きくすることができる。好ましくは、取り付けられたロックばね長手方向端部の長さは、この場合、約２．３ｍｍ±０．０５ｍｍである。いくつかの実施形態では、自由なロックばね長手方向端部の長さは、約２．７ｍｍ±０．０５ｍｍより小さく、特に約２．６４ｍｍ±０．０５ｍｍより小さくすることができる。好ましくは、自由なロックばね長手方向端部の長さは、この場合、約２．５ｍｍ±０．０５ｍｍである。
【００３４】
ここでは、コンタクトデバイスまたはコンタクトユニットは、好ましくは、１．０ｍｍ〜１．４ｍｍのコンタクトデバイスまたはコンタクトユニットとして、特に１．２ｍｍのコンタクトデバイスまたはコンタクトユニットとして形成される。いくつかの実施形態では、２つのロックばね長手方向端部（ロックばねをともに形成する）は、長さ約４．８ｍｍ±０．１ｍｍとすることができる。取り付けられたロックばね長手方向端部は、この場合もまた、好ましくはやはり、認識可能に、著しく、または実質的に、ロックばねのばね特徴に寄与する部分を、実際のコンタクトデバイスまたは実際のコンタクトユニットに／内に（ａｔ／ｉｎ）備える。
【００３５】
これは、取り付けられたロックばね長手方向端部は、この場合もまた、この取り付けられたロックばね長手方向端部、またはむしろロックばねが、実際のコンタクトデバイスまたは実際のコンタクトユニットに長手方向、横断方向（円周方向）、および／または垂直方向に合体する位置で終わることができることを意味する。さらに、取り付けられたロックばね長手方向端部は、この場合もまた、この取り付けられたロックばね長手方向端部、またはむしろロックばねが、（レーザ）溶接点（実質的には、（レーザ）溶接点の前、中心、または後ろ）を介して、実際のコンタクトデバイスまたは実際のコンタクトユニットに合体する位置で終わることができる。さらに、これは、実際のコンタクトデバイスまたは実際のコンタクトユニットに対して取り付けられたロックばね長手方向端部が物質的に実質的に単体になりまたは一体遷移する場合に当てはまることができる。
【００３６】
いくつかの実施形態では、自由なロックばね長手方向端部は、その自由な長手方向端部にハウジング接続部分を有することができ、ハウジング接続部分によって、長手方向においてハウジングのロックユニット上にロックばねを配置する（ロックする）ことができる。追加または別法として、自由なロックばね長手方向端部またはハウジング接続部分は、その自由端にロックユニットを有することができ、ロックユニットによって、垂直方向においてハウジングのロックユニット上にロックばねを配置する（ロックする）ことができる。好ましくは、ロックばねのハウジング接続部分は、自由なロックばね長手方向端部が及ぶ平面（補剛ユニットなし、下記参照）内ではなく、好ましくは取り付けられたロックばね長手方向端部が及ぶ平面に対して平行な平面内を通る。
【００３７】
取り付けられたロックばね長手方向端部は、補剛ユニットを有することができ、補剛ユニットは、好ましくは補剛溝として形成される。この補剛ユニットの主たる延長方向は、好ましくは、横断方向に進む。さらに、自由なロックばね長手方向端部は、追加または別法として、補剛ユニットを有することができ、この補剛ユニットも同様に、好ましくは補剛溝として形成される。この補剛ユニットの主たる延長方向は、好ましくは、長手方向である。
【００３８】
いくつかの実施形態では、コンタクトデバイスは、一体形成することができる。これは、コンタクトデバイスが、好ましくは単体から形成され、コンタクトデバイスは、コンタクトユニットまたは本発明のコンタクトユニット（下記参照）の一部とすることができることを意味する。さらに、コンタクトユニットは、一体形成することができ、または物質的に単体とすることができる。言い換えれば、コンタクトユニットは、単体のみまたは複数の部分から形成することができ、第２の場合、コンタクトユニットは、たとえば、本発明のコンタクトデバイス（下記参照）を有することができる。さらに、ロックばねは、コンタクトデバイスまたはコンタクトユニットと一体形成することができる。さらに、ロックばねは、コンタクトばねカラーと一体形成することができる。
【００３９】
物質的に単体から形成される場合、構成要素の個々の部分（あれば）は、強固な接合、たとえば溶接、はんだ付け、または接着によってともに固定され、好ましくは、アセンブリを損傷しない限り個々の部分に分離することができない。さらに、圧力嵌めおよび／または形状嵌めによって、物理的な結合をもたらすことができる。一体形成される場合、１つの単一の構成要素しかなく、この構成要素は事実上、破壊することでしか分離することはできない。したがって、たとえば一体のコンタクトユニットまたはコンタクトデバイスが、単体のみから形成され、これは、一体またはモノリシックとすることができる。好ましくは、コンタクトユニットまたはコンタクトデバイスは、金属シートから打抜きまたは成形される。
【００４０】
いくつかの実施形態では、取り付けられたロックばね長手方向端部は、支持部の上へ延びることができ、または支持部の上へ突出することができる。これは、取り付けられたロックばね長手方向端部が、一方の側（締付け点）から出て、支持部を越えて延び、好ましくは長手方向にコンタクトデバイスまたはコンタクトユニットから離れて自由に位置することを意味する。いくつかの実施形態では、コンタクトユニットのコンタクトデバイスは、ハウジングに／内に（ａｔ／ｉｎ）コンタクトユニットをロックするためのロックばねを備えることができる。さらに、本発明によれば、コンタクトユニットのコンタクトデバイスは、本発明のコンタクトデバイスとして形成することができる。
【００４１】
本発明によれば、適合を行う結果、ロックばね／ロックランスの屈曲点の位置の改善または最適化、コンタクトデバイスまたはコンタクトユニットのロックばねの抵抗の改善および／または増大が得られる。本発明によって、引抜きまたは抜出し中のロックばね／ロックランスの運動方向の調整によって弾力性が増大することで、変形するときのロックばね／ロックランスの相互接続が改善され、したがって機械抵抗が増大する。その結果、ハウジング内に設けられる既製のケーブルの許容される静止摩擦力の増大が明らかになり、既製のケーブルは、ハウジング内で少なくともロックばね／ロックランスとロックされる。さらに、その結果、保持力、ならびに／または引出し力、抜出し力、および／もしくは引抜き力が増大する。本発明のコネクタまたは本発明の相手側コネクタは、ハウジングならびに少なくとも１つの本発明のコンタクトデバイスまたは少なくとも１つの本発明のコンタクトユニットを備える。
本発明の既製の電気ケーブルは、電気ケーブルと、少なくとも１つの本発明のコンタクトデバイス、少なくとも１つの本発明のコンタクトユニット、本発明のコネクタ、および／または本発明の相手側コネクタとを備える。本発明のユニット、本発明のモジュール、本発明の器具、本発明の装置、本発明の設備、または本発明のシステムは、少なくとも１つの本発明のコンタクトデバイス、少なくとも１つの本発明のコンタクトユニット、本発明のコネクタ、本発明の相手側コネクタ、および／または本発明の既製の電気ケーブルを備える。
【００４２】
本発明について、原寸に比例しない添付の詳細な図面を参照する実施形態例と用いて、より詳細に以下に説明する。図の説明、参照記号のリスト、および特許請求の範囲では、同一、一義、または類似の設計および／または機能を有する要素、部品、または構成要素には同じ参照記号を提供し、図面内の図では同じ参照記号によって識別する。さらに、本説明でも説明されず図面にも示されていない、かつ／または完全でない、本発明の記載する実施形態例および／またはこれらの個々のサブアセンブリ、部品、もしくは部分に対するあらゆる代替、静的および／または動的な反転、組合せなどは、参照記号のリストから得ることができる。
【００４３】
参照記号のリスト内の特徴を含む記載する特徴はすべて、１つおよび／または複数の指示する組合せだけでなく、１つもしくは複数の別の組合せでまたは単独で適用することができる。特に、本発明の説明、図の説明、および／または参照記号のリストにおいて、参照記号およびこれらの参照記号に関連する特徴を使用して、本発明の説明および／または図の説明内で１つまたは複数の特徴を置き換えることが可能である。さらに、その結果、特許請求の範囲において、１つまたは複数の特徴を提示し、詳細に指定し、かつ／または置き換えることができる。例として提供される図を以下に示す。
【図面の簡単な説明】
【００４４】
【図１】ソケットコンタクトユニットのロックばね／ロックランスの屈曲点の位置が適合された本発明のソケットコンタクトユニットの一実施形態を斜め上から見た斜視図である。
【図２】ロックばねの屈曲点の位置を適合させるための図１のコンタクトユニットの第１のモデルの一方の側を露出させた側面図である。
【図３】同様にロックばねの屈曲点の位置を適合させるための図１のコンタクトユニットの第２のモデルの一方の側を露出させた側面図である。
【図４】この場合もロックばねの屈曲点の位置を適合させるための図１のコンタクトユニットの第３のモデルの一方の側を露出させた側面図である。
【図５】この場合もロックばねの屈曲点の位置を適合させるための図１のコンタクトユニットの第４のモデルの一方の側を露出させた側面図である。
【図６】調整された方向付けられた変形の長さを縦座標上に示し、ロックばねの屈曲点の位置を横座標上に示すデカルト座標系である。
【図７】ロックばね／ロックランスの屈曲点の位置を適合させる本発明の方法を例として示すコンタクトユニットの一実施形態の一方の側を露出させた上面図である。
【図８】コンタクトユニットの第２のコンタクトデバイスに対するコンタクトユニットのコンタクトデバイスのロックばね／ロックランスのてこ比の概略図である。
【発明を実施するための形態】
【００４５】
本発明について、自動車産業で使用するための特に銅またはアルミニウムケーブル用の電気コンタクトユニット１の実施形態（図１〜８参照）に基づいて、詳細に以下に説明する。しかし、本発明は、そのような実施形態に限定されるのではなく、より一般的な性質のものであり、したがって、自動車産業または電子技術、電気工学、電力工学などの自動車以外の産業において、別のコンタクトデバイス（下記参照）または別のコンタクトユニットに適用することができる。
【００４６】
本発明について、好ましい実施形態例によって詳細によりはっきりと図示および説明するが、本発明は、開示するこれらの例によって制限されない。本発明の保護範囲から逸脱することなく、これらの例から他の変形形態を導き出すことができる。コンタクトユニット１は、たとえばまっすぐに、屈曲して、または湾曲して形成され、好ましくは、圧着コンタクトユニット１として形成され、コンタクトユニット１は、好ましくは、ソケットコンタクトユニット１またはプラグインスリーブ１として形成される。本発明のコンタクトユニット１を備える電気ケーブルを、事前に製作されたケーブルまたは既製のケーブルと呼ぶことができる。
【００４７】
この場合、コンタクトユニット１のコンタクトデバイス１００、またはコンタクトユニット１は、好ましくは、電気コネクタまたは相手側コネクタ、特にミニコネクタまたはミニ相手側コネクタ向けに、１．０ｍｍ〜１．４ｍｍ、好ましくは１．２ｍｍのコンタクトデバイス１００、特にＭＣＯＮコンタクトデバイス１００、または１．０ｍｍ〜１．４ｍｍ、好ましくは１．２ｍｍのコンタクトユニット１、特にＭＣＯＮコンタクトユニット１として形成される。ここでは、コネクタおよび相手側コネクタならびにそれらの（相手側）コンタクトデバイスおよび／または（相手側）コンタクトユニット（下記参照）に対する名称は、同義であり、すなわち、必要とされる場合、それぞれ交換可能であると解釈されるべきである。
【００４８】
コンタクトデバイス１００またはコンタクトユニット１は、それぞれ相手側電気コンタクトデバイスまたは相手側コンタクトユニットと嵌合するように形成され、相手側電気コンタクトデバイスまたは相手側コンタクトユニットは、好ましくは、同様に、圧着コンタクトデバイスおよび／または圧着コンタクトユニットであると考えられる。ここでは、相手側コンタクトデバイスまたは相手側コンタクトユニットは、タブコンタクトデバイス／ユニット、フラットプラグ、ピン、および／またはプラグコンタクトデバイス／ユニットなどとして形成することができる。この場合、本発明のコンタクトユニット１は、２つの部分から形成され、２つのコンタクトデバイス１００、２００を有し、２つのコンタクトデバイス１００、２００は、好ましくは、単体であり（２つの部分から取外し可能に組み立てられる）、または物質的に単体に接続される。しかし、本発明はまた、一体コンタクトデバイスおよび／または一体コンタクトユニット、ならびに複数の部分からなるコンタクトユニットに適用することができる。
【００４９】
以下の説明では、コンタクトデバイス１００、２００および／またはコンタクトユニット１の長手方向軸Ｌ、横断軸Ｑ、および垂直軸Ｈを参照し、各軸Ｌ、Ｑ、Ｈは、２つの方向（長手方向Ｌ、横断方向Ｑ、垂直方向Ｈ）を構成する。これは、同様に、（既製の）ケーブル、（相手側）コネクタなどにも適用することができる。この場合、長手方向軸Ｌは、（既製の）ケーブル、（相手側）コネクタ、コンタクトデバイス１００、２００、コンタクトユニット１などの挿入方向Ｓおよび引抜き方向Ａによってさらに解釈することができる。
【００５０】
２つのコンタクトデバイス１００、２００からなるコンタクトユニット１は、前面（挿入面１１、１０１、図１の上またはむしろ背面参照）から、相手側コンタクトデバイスおよび／または相手側コンタクトユニットに対する電気的および好ましくは機械的な接触領域１０（コンタクトデバイス１００、２００）を有する。ここでは、コンタクトデバイス１００は、コンタクトデバイス２００内に収容される。さらに、コンタクトユニット１は、ケーブルの導電体または編組に対する電気的および好ましくは機械的な接続領域２０、導体圧着区域２０などと、電気絶縁および場合によりケーブルの導体（絶縁上）に対する好ましくは機械的な締結領域３０、絶縁圧着領域３０などとを含む。
【００５１】
ここでは、接続領域２０と締結領域３０はどちらも、好ましくは、コンタクトデバイス２００のみによって構成される。接触領域１０と接続領域２０との間には、遷移領域１９が位置し、接続領域２０と締結領域３０との間には、好ましくはさらなる遷移領域２９が位置し、遷移領域２９は、好ましくは、圧着領域２０、３０の圧着ラグを分離する。時系列で圧着後、それぞれの圧着領域２０、３０は、圧着スリーブ２０、３０とも呼ばれる。コンタクトデバイス２００および／またはコンタクトユニット１に対する導体の電気的接続はまた、圧着ではなく、たとえばはんだ付け、（小型の）溶接などによって行うこともできる。さらに、図１は、ロールまたはリールのキャリアストリップ３９、輸送テープ３９などを破線として示しており、その上にコンタクトユニット１および／またはコンタクトデバイス２００を提供することができる。
【００５２】
この場合（図１および図２〜５を図７とともに参照）、コンタクトデバイス１００は、コンタクトばね１００として形成され、コンタクトばね１００内には、実際の電気接触のために、相手側コンタクトデバイスまたは相手側コンタクトユニットを収容することができる。ここでは、コンタクトばね１００は、必要な場合、部分的に被覆することができる。コンタクトばね１００は、その前面１０１（挿入面側）に、コンタクトばねカラー１１０を備え、コンタクトばねカラー１１０上では長手方向Ｌに後ろまで、内側では、たとえばばねまたは薄板などの少なくとも１つのコンタクトユニットが離れる方へ延び、外側では、コンタクト固定要素１２０が離れる方へ延びる。ここでは、コンタクト固定要素１２０は、好ましくは、ロックばね１２０（英語ではロックランス１２０）またはロックアーム１２０として、コンタクトばねカラー１１０と一体形成される。コンタクトばね１００の背面１０９（ケーブル出口側）は、コンタクトデバイス２００内に収容される。
【００５３】
さらに、この場合（この場合も、図１および図２〜５を図７とともに参照）、コンタクトデバイス２００は、コンタクト本体２００またはコンタクトばねスロット２００として形成される。好ましくは、この場合、コンタクト本体２００は被覆されない。コンタクト本体２００は、圧着されていない状態で実質的に桶形に形成され、コンタクトばね１００は、コンタクト本体２００の前面の桶形の部分内に収容される。ここでは、長手方向Ｌにコンタクト本体２００の前面２０１（挿入面側）は、コンタクトばね１００のコンタクトばねカラー１１０上に接合し、好ましくはコンタクトばね１００のコンタクトばねカラー１１０の後ろに接合する。背面２０９（ケーブル出口側２０９）は、コンタクト本体２００の締結領域３０の自由端から形成される。
【００５４】
ここでは、コンタクトばね１００、およびコンタクト本体２００の前面部分が、コンタクトユニット１の接触領域１０を形成し、コンタクト本体２００のみが、コンタクトユニット１の接続領域２０および締結領域３０を構成する（図１）。コンタクト本体２００は、上が開いているが、好ましくは、コンタクトばね１００、特にコンタクトばね１００のロックばね１２０によって、上の接触領域側１０で実質的に閉じている。応力を受けない状態で、ロックばね１２０の少なくとも１つの部分は、両方の垂直方向Ｈに弾性的に動くことができる。さらに、この場合、ロックばね１２０またはコンタクトばね１００（ロックばね１２０）およびコンタクト本体２００は、ロックばね１２０の締付け点の剛性を除いて、ロックばね１２０の１つの部分のみが垂直方向Ｈ（および逆方向）に弾性的に動くことができるように形成することが可能である。
【００５５】
この場合、ロックばね１２０は、２つの部分１３０、１４０、すなわち取り付けられたロックばね長手方向端部１３０および自由なロックばね長手方向端部１４０を有する。取り付けられたロックばね長手方向端部１３０は、一方の側で、好ましくは長手方向Ｌにおいて、好ましくは一体的にコンタクトばねカラー１１０に合体し、自由なロックばね長手方向端部１４０は同様に、一方の側で、ロックばね長手方向端部１３０、１４０間の屈曲点１３０で、取り付けられたロックばね長手方向端部１３０上へ好ましくは一体的に接合する。２つのロックばね長手方向端部１３０、１４０は、この場合、９０°より大きい屈曲角αをともに形成する。
【００５６】
取り付けられたロックばね長手方向端部１３０は、好ましくは実質的に横断方向Ｑに通る補剛ユニット１３２、エネルギー蓄積器１３２、ばねの膨らみ１３２、特に補剛溝１３２、補剛リブなどを有することができる。自由なロックばね長手方向端部１４０は、好ましくは実質的に長手方向Ｌに通る補剛ユニット１４２、エネルギー蓄積器１４２、ばねの膨らみ１４２、特に補剛溝１４２、補剛リブなどを有することができる。
【００５７】
コンタクトユニット１は、好ましくは、ハウジング３００のコンタクトチャンバ３１０（図面には破線としてのみ示す）内に提供することができるように形成され、コンタクトチャンバ３１０内にコンタクトユニット１を嵌めた位置で、コンタクトユニット１は、ロックばね１２０によってコンタクトチャンバ３１０内にロックされる。この目的で、ハウジング３００は、たとえば、壁３２０、ロック肩部３２０、ロック縁部３２０、ロック突起３２０、ロックフック、ロックリムなどのロックユニット３２０を有する。
【００５８】
この目的で、ロックばね１２０は、ハウジング接続部分１４８を有することができ、ハウジング接続部分１４８は、ロックばね１２０の自由な長手方向端部および／または自由なロックばね長手方向端部１４０の自由な長手方向端部を構成する。コンタクトユニット１を嵌めた位置で、ハウジング接続部分１４８は長手方向Ｌに、ハウジングのロックユニット３２０上に載置される（ロック）。さらに、ハウジング接続部分１４８は、たとえば、ロック肩部１４９、ロック縁部１４９、ロック突起１４９、ロックフック、ロックリムなどのロックユニット１４９を有することができ、ロックばね１２０は、ロックユニット１４９によって、ハウジング３００のロックユニット３２０にて垂直方向Ｈにコンタクトユニット１から離れて位置することができる（ロック）。
【００５９】
ここでは、コンタクトユニット１またはコンタクト本体２００およびコンタクトばね１００は、そのロックばね１２０とともに、取り付けられたロックばね長手方向端部１３０が、コンタクト本体２００の壁２３０の縁部２３２または少なくとも１つの壁２３０の少なくとも縁部２３２上に配置されるように形成される。ここでは、縁部２３２は、取り付けられたロックばね長手方向端部１３０の下方への動きを制限し、かつ／または取り付けられたロックばね長手方向端部１３０の垂直方向Ｈの上昇のみを許容する。そのままで自由なロックばね長手方向端部１４０の場合、縁部２３２は、好ましくは機能を有しておらず、縁部２３２は、取り付けられたロックばね長手方向端部１３０が自由なロックばね長手方向端部１４０と機械的に相互作用するときのみ、自由なロックばね長手方向端部１４０に対して機械的な機能を有する。
【００６０】
この場合、縁部２３２の長手方向部分は、取り付けられたロックばね長手方向端部１３０の支持部１３４／２３４に対するコンタクト本体２００の（当接）支持部２３４および／または支持領域２３４を形成する。同様に、取り付けられたロックばね長手方向端部１３０の長手方向部分は、ロックばね１２０の支持部１３４／２３４に対する（相手側）支持部（支持端点２３４）および／または支持領域（支持端点２３４）を形成する。ここでは、取り付けられたロックばね長手方向端部１３０と縁部２３２との間の支持部１３４／２３４は、取り付けられたロックばね長手方向端部１３０の実質的な長さにわたって延びることができ、または取り付けられたロックばね長手方向端部１３０の実質的な長さを越えて延びることができる。これは、支持端点２３４が、コンタクトばね１００内のロックばね１２０の締付け点から見たとき、屈曲点１３９の前に位置し（図２および図３参照）、ちょうど屈曲点１３９に位置し（図４参照）、または屈曲点１３９の後ろに位置する（図５参照）ことを意味する。
【００６１】
支持端点２３４は、好ましくは、壁２３０の屈曲部２３６または屈曲部分２３６によって垂直方向Ｈに下方へ構成される（下記も参照）。さらに、取り付けられたロックばね長手方向端部１３０と縁部２３２との間の支持部１３４／２３４は、取り付けられたロックばね長手方向端部１３０の実質的に全体的な長手方向の長さにわたって延びる必要はない。ここでは、重要なことは、支持端点２３４が、長手方向Ｌに屈曲点１３９の前に、ちょうど屈曲点１３９に、または屈曲点１３９の後ろに配置されることである。好ましくは、ここでは、屈曲点１３９は、支持端点２３４を越えて延び、屈曲部２３６はさらに、自由なロックばね長手方向端部１４０の下に位置する場合がある。
【００６２】
本発明によれば、コンタクトユニット１の場合、屈曲点１３９の他の位置より適したロックばね１２０の屈曲点１３９の位置が判定され、この場合、ロックばね１２０の改善された弾性変形性および／または塑性変形性を実現することができる（上記も参照）。これに対する基準は、ロックばね１２０の比較的高い弾性および／または機械的な塑性抵抗に加えて、ロックばね１２０が弾性変形および／または塑性変形するとき、すなわちハウジング３００から引き出されまたは抜き出される（保持力を超える）とき、垂直方向Ｈにロックばね１２０をコンタクトユニット１から離れて位置させることができ、かつ／または保持力を超えた場合、ロックばね１２０をその挿入面１１、１０１、（２０１）の方向に変形させることができるようなロックばね１２０の変形性である。
【００６３】
原則的に、２つの可能性があり、いずれの場合も単独でまたは組み合わせて使用することができる。第１に、取り付けられたロックばね長手方向端部１３０および／もしくは自由なロックばね長手方向端部１４０の特徴値（上記参照）またはそれらの指数によって、取り付けられたロックばね長手方向端部１３０および自由なロックばね長手方向端部１４０を長手方向Ｌ、横断方向Ｑ、および／または垂直方向Ｈに設計するという可能性がある。第２の可能性は、支持端点２３４に対する屈曲点１３９の位置またはその逆の位置を判定し、したがって２つのロックばね長手方向端部１３０、１４０を長手方向Ｌ、横断方向、および／または垂直方向Ｈに設計することからなる。
【００６４】
以下、第１に、第１の可能性による手順について、図２〜６を用いて例として説明する。たとえば画定された長さのロックばね１２０を有する好ましくは所与のコンタクトユニット１の場合、屈曲点１３９の複数の位置、特に多数の位置が、当該コンタクトユニット１内に配置される。次いで、コンタクトユニット１がハウジング３００から引き出されかつ／または抜き出されるときはいつでもロックばね１２０がどのように弾性変形および／または塑性変形するかが実験的に判定される。この実験的判定の場合、コンタクトユニット１がロックばね１２０のみによってハウジング３００内でロックされることが好ましい。
【００６５】
ロックばね１２０の長さは、自由なロックばね長手方向端部１４０の長さと取り付けられたロックばね長手方向端部１３０の長さとを足した値から得られる。自由なロックばね長手方向端部１４０の長さは、たとえば、屈曲点１３９から、ハウジング接続部分１４８の始端、中心、または自由端までの範囲で得られる。取り付けられたロックばね長手方向端部１３０は、屈曲点１３９から、コンタクトばね１００内のロックばね１２０の締付け点までの範囲で測定される。ここでは、締付け点は、好ましくは、この締付け点またはむしろ取り付けられたロックばね長手方向端部１３０がやはり、コンタクトばね１００内に、無意味でなく、すなわち認識可能に、著しく、または実質的に、ロックばね１２０のばね特徴に寄与する領域を有するように画定される。
【００６６】
この場合、取り付けられたロックばね長手方向端部１３０は、コンタクトばね１００とコンタクト本体１００の強固に接合された接続の前面２０１上またはむしろ端部において挿入面（締付け点の始まり）で始まり、屈曲点１３９の位置まで延びるように画定される。この方法のこの実施形態例の場合、これは、長手方向Ｌにおける取り付けられたロックばね長手方向端部１３０の全長Ｌ１３０として知られる。さらに、自由なロックばね長手方向端部１４０は、屈曲点１３９で始まり、ハウジング接続部分１４８の自由端まで延びるように画定される。この方法のこの例示的な実施形態の場合、これは、長手方向Ｌにおける自由なロックばね長手方向端部１４０の全長Ｌ１４０として知られる。
【００６７】
次に、屈曲点１３９の多数の位置が、多数のコンタクトデバイス１内に配置され、それぞれのコンタクトユニット１（場合により、電気ケーブルが圧着される）は、ハウジング３００内のそれぞれのコンタクトチャンバ３１０内にロックされ、それぞれのコンタクトユニット１は、引抜き方向Ａの力によってコンタクトチャンバ３１０から引き出される。この場合、引き抜かれている間に、静止摩擦力を測定することができ、ロックばね１２０が変形ならびに／または弾性変形および／もしくは塑性変形し始める保持力、引出し力、引抜き力、および／または抜出し力が、それぞれのコンタクトユニット１に割り当てられる。
【００６８】
時系列でそれぞれのコンタクトユニット１の引抜き後、当該ロックばね１２０が所望の基準、たとえば上記の基準（比較的高い弾性および／または機械的な塑性抵抗、垂直方向Ｈにおける弾性変形および／または塑性変形、挿入面１１、１０１、（２０１）の方向における弾性変形および／または塑性変形）に応じてどの程度挙動したかが判断され、屈曲点１３９の少なくとも１つの対応する位置が、そのようなロックばね１２０にとって好ましいものとして選択される。これは、ロックばね長手方向端部１３０、１４０の別の特徴値（上記参照）にも同様に適用することができる。当然ながら、この方法の場合、複数のそのような特徴値を、並列または連続して組み合わせることもできる。
【００６９】
図示の１．０ｍｍ〜１．４ｍｍ、好ましくは１．２ｍｍのコンタクトユニット１の場合、図２〜４は、屈曲点１３９の４つの位置、すなわち取り付けられたロックばね長手方向端部１３０の長さを示す。図２の場合、取り付けられたロックばね長手方向端部１３０の全長Ｌ１３０は、１．６９ｍｍ±０．０５ｍｍに等しく、図３の場合、全長Ｌ１３０は、１．８９ｍｍ±０．０５ｍｍに等しく、図４の場合、全長Ｌ１３０は、１．９５ｍｍ±０．０５ｍｍに等しく、図３の場合、全長Ｌ１３０は、２．２９ｍｍ±０．０５ｍｍに等しい。本発明によれば（図６参照）、ロックばね１２０の誘導される変形の長さ（縦座標、標示なし、たとえばｍｍ単位）が、取り付けられたロックばね長手方向端部１３０のそれぞれの全長Ｌ１３０（横座標、たとえばｍｍ単位）に関して示されており、図６の座標系では、より短い変形の長さは、上の方に示されている。
【００７０】
これは、図６の座標系内に位置する点（コンタクトユニット１）が高ければ高いほど、ロックばね１２０の変形が小さくなることを意味し、これが望ましい。したがって、第１に、図２および図５のコンタクトユニット１（図６の印参照）が、図３および図４のコンタクトユニット１（図６の印参照）より適している。しかし、取り付けられたロックばね長手方向端部１３０の全長Ｌ１３０が比較的小さい場合、望ましくない影響が示されており、すなわちロックばね１２０がコンタクトユニット１から離れて、垂直方向Ｈではなく逆方向に、すなわちコンタクトユニット１内へ内向きに弾性変形および塑性変形することが示されている。したがって、たとえば図５によるコンタクトユニット１が好ましい。さらに、この場合、約２．１ｍｍより大きい、特に約２．１６ｍｍより大きい取り付けられたロックばね長手方向端部１３０の全長Ｌ１３０を使用することができる。
【００７１】
さらに、ここでは、ロックばね１２０が挿入面１１、１０１、（２０１）の方向に変形することを可能にする取り付けられたロックばね長手方向端部１３０の全長Ｌ１３０が好ましい。自由なロックばね長手方向端部１４０の全長Ｌ１４０は、ロックばね１２０の全長から取り付けられたロックばね長手方向端部１３０の全長Ｌ１３０を差し引くことによって与えられる。この場合、ロックばね１２０の全長は、約４．６ｍｍ〜約５．０ｍｍ、特に約４．８ｍｍである。本発明によれば、この選択後、取り付けられたロックばね長手方向端部１３０および／または自由なロックばね長手方向端部１４０の別の特徴値によるさらなる最適化を進めることが可能である。
【００７２】
以下、取り付けられたロックばね長手方向端部１３と自由なロックばね長手方向端部１４０との間の屈曲点１３９の改善された位置を選択するために別の基準が使用される第２の可能性による手順について、図７および図８を用いて例として説明する。ここでは、異なる全長Ｌ１３０、Ｌ１４０が例として使用されることを確実にするべきである。ここでは、取り付けられたロックばね長手方向端部１３０は、コンタクトばね１００とコンタクト本体２００との間の溶接点上の中心（図７、締付け点の始まり）で始まり、屈曲点１３９の位置（図７の矢印）まで延びるように画定される。さらに、自由なロックばね長手方向端部１４０は、屈曲点１３９で始まり、ハウジング接続部分１４８の中心（図８、力Ｆの印加点）まで延びるように画定される。
【００７３】
本発明は、取り付けられたロックばね長手方向端部１３０の全長Ｌ１３０を、ロックばね１２０の締付け点（Ｌ１２４＝Ｌ１３０）に対する壁２３０の支持端点２３４（支持部１３４／２３４）の長手方向の距離Ｌ１２４の関数として計算するための式を提供する。ここでは、この式は、Ｌ１３０＝ｃ＊Ｌ１２４を示し、ｃは１．０００以上である。好ましくは、ｃは約１．０１以上であり、約１．１以上であり、または約１．２以上である。当然ながら、逆にすることも可能であり、すなわちＬ１２４＝１／ｃ＊Ｌ１３０である。この式は同様に、図示の１．０ｍｍ〜１．４ｍｍのコンタクトユニット１だけでなく、他のコンタクトユニット１にも適用することができる（たとえば、係数０．１〜１００）。
【００７４】
コンタクトユニット１がより大きく（拡大）またはより小さく（縮小）形成される場合、この式によって、壁２３０の支持端点２３４の所与の長手方向の距離Ｌ１２４から、取り付けられたロックばね長手方向端部１３０の全長Ｌ１３０を計算し、または取り付けられたロックばね長手方向端部１３０の所与の全長Ｌ１３０から、壁２３０の支持端点２３４の長手方向の距離Ｌ１２４を計算し、それに応じてロックばね１２０内の屈曲点１３９の位置および／またはコンタクトユニット１内の壁２３０の支持端点２３４の位置を配置することが可能である。
【００７５】
屈曲点１３９は、支持端点２３４を越えて延び（図５）、すなわち取り付けられたロックばね長手方向端部１３０が、支持部１３４／２３４の上に突出し、かつ／または支持部１３４／２３４より高くなることが好ましい。ここでは、支持端点２３４と屈曲点１３９との間の小さい距離および非常に小さい距離を実現することができる。好ましくは、取り付けられたロックばね長手方向端部１３０は、支持部１３４／２３４もしくは支持端点２３４の上に突出しかつ／または支持部１３４／２３４もしくは支持端点２３４より高くなり、あるいは屈曲点１３９から支持部１３４／２３４または支持端点２３４までの距離は、約０．０１ｍｍ、約０．０２ｍｍ、約０．０３ｍｍ、約０．０５ｍｍ、約０．０７ｍｍ、約０．１ｍｍ、約０．１５ｍｍ、約０．２ｍｍ、約０．２５ｍｍ、約０．３ｍｍ、約０．４ｍｍ、約０．５ｍｍ、約０．６ｍｍ、約０．７ｍｍ、約０．８ｍｍ、約０．９ｍｍ、約１ｍｍ、約１．１ｍｍ、約１．２ｍｍ、約１．４ｍｍ、約１．６ｍｍ、約１．８ｍｍより小さく、これに等しく、またはこれより大きい。必要な場合、より大きい値を使用することもできる。
【００７６】
さらに、壁２３０の縁部２３２の屈曲部２３６または屈曲部分２３６、すなわち縁部２３０のうち、支持部１３４／２３４または支持端点２３４上へ直接接合する部分は、自由なロックばね長手方向端部１４０が力Ｆ（図８）を受け、かつ／または力Ｆによって押し下げられるとき、屈曲点１３９が屈曲部２３６または屈曲部分２３６に接触することができるように形成されることが好ましい。さらに、屈曲部２３６または屈曲部分２３６は、好ましくは、屈曲点１３９が屈曲部２３６または屈曲部分２３６に接触した後一時的に、屈曲部２３６または屈曲部分２３６が屈曲点１３９に対して好ましくは単一の値の支持部（摺動支持部）として機能するように構成される。ここでは、屈曲点１３９は、屈曲部２３６または屈曲部分２３６から落ちることができる（力Ｆの作用が継続している）。
【符号の説明】
【００７７】
１  たとえば自動車産業で使用するための、特に銅またはアルミニウムのケーブル用の、まっすぐに、屈曲して、湾曲して、単体で、物質的に単体として、または一体的に形成された、コンタクトデバイス１００または複数のコンタクトデバイス１００、２００を有する（電気／電子）（圧着）コンタクトユニット、接続ユニット、たとえば端子、（フラット）プラグインスリーブ、フラットプラグ、両性型コンタクトユニット、ソケットコンタクトユニット、（ファストン）タブコンタクトユニット、プラグコンタクトユニット、ピンコンタクトユニット、たとえば１．０ｍｍ〜１．４ｍｍ、好ましくは１．２ｍｍのコンタクトユニット、ＭＣＯＮコンタクトユニット、および／またはソケットコンタクトユニット
１０  相手側コンタクトデバイスなどに対する（電気的、好ましくは機械的）接触領域
１１  挿入面
１９  接続領域２０への遷移領域
２０  ケーブルの導電体に対する（電気的、好ましくは機械的）接続領域、導体圧着領域
２９  締結領域３０への遷移領域
３０  ケーブルの電気絶縁（場合により、導電体（絶縁を介する））に対する（機械的）締結領域、絶縁圧着領域
３９  ロールまたはリールのキャリアストリップ、輸送テープ（図面には破線としてのみ示す）
１００  たとえば自動車産業で使用するための、特に銅またはアルミニウムのケーブル用の、まっすぐに、屈曲して、湾曲して、物質的に単体として、または一体的に形成された、場合によりコンタクトユニット１の、（第１／第２の）（圧着）コンタクトデバイス、たとえばコンタクトばね、コンタクト本体など、たとえば端子、（フラット）プラグインスリーブ、フラットプラグ、両性型コンタクトユニット、ソケットコンタクトユニット、（ファストン）タブコンタクトユニット、プラグコンタクトユニット、ピンコンタクトデバイス、たとえば１．０ｍｍ〜１．４ｍｍ、好ましくは１．２ｍｍのコンタクトデバイス、ＭＣＯＮコンタクトデバイス、および／またはソケットコンタクトデバイス
１０１  （前）面、挿入面側
１０９  （背）面、ケーブル出口側
１１０  コンタクトばねカラー（任意選択）
１１２  アセンブリユニット、たとえば溝など
１２０  たとえばコンタクトばねカラー１１０上へ接合され、特に一体的に接合される、（第１の）コンタクトセキュリティ、ロックユニット、ロックばね、ロックアーム、（英語ではロックランス）
１３０  （取り付けられた、第１の）ロックばね（長手方向（端））部
１３２  好ましくは実質的に横断方向Ｑに通る補剛ユニット、エネルギー蓄積器、ばねの膨らみ、たとえば補剛溝、補剛リブなど
１３４  （相手側）支持部、コンタクトデバイス２００の支持部２３４上のロックばね部１３０の支持部（１３４／２３４）に対するロックばね部１３０の支持領域、対応する支持端点（ロックばね１２０が変形するときに生じる）
１３９  ロックばね部１２０とロックばね部１４０との間の屈曲点。ここで（理論上は）２つのロックばね部１２０、１４０は互いに接触する
１４０  （自由な第２の）ロックばね（長手方向（端））部
１４２  好ましくは実質的に長手方向Ｌに通る補剛ユニット、エネルギー蓄積器、ばねの膨らみ、たとえば補剛溝、補剛リブなど
１４８  ハウジング接続部分、ロックばね１２０の自由な長手方向端、および／またはロックばね部１４０の自由な長手方向端部
１４９  ロックユニット、たとえばロック肩部、ロック縁部、ロック突起、ロックフック、ロックリムなど
２００  たとえば自動車産業で使用するための、特に銅またはアルミニウムのケーブル用の、まっすぐに、屈曲して、湾曲して、物質的に単体として、または一体的に形成された、場合によりコンタクトユニット１の、（第２／第１の）（電気／電子）（圧着）コンタクトデバイス、たとえばコンタクト本体、コンタクトばねレセプタクル（場合によりコンタクトばね１００用）など
２０１  （前）面、挿入面側
２０９  （背）面、ケーブル出口側
２３０  壁
２３２  縁部
２３４  （当接）支持部、ロックばね部１３０の支持部（１３４／２３４）に対するコンタクトデバイス２００の支持領域、支持端点
２３６  屈曲部、支持領域２３４上の屈曲角
３００  ハウジング（図面には破線としてのみ示す）
３１０  コンタクトユニット１および／またはコンタクトデバイス１００向けのコンタクトチャンバ
３２０  ロックユニット、たとえば壁、ロック肩部、ロック縁部、ロック突起、ロックフック、ロックリムなど
α  角度、取り付けられたロックばね部１３０と自由なロックばね部１４０との間の屈曲角
Ａ  コネクタ、コンタクトユニット１、およびコンタクトデバイス１００、（２００）の（既製の）ケーブルの引抜き方向、また個々の長手方向Ｌ
Ｆ  ロックばね１２０にかかる実質的に直交する力
Ｈ  垂直方向、コネクタ、コンタクトユニット１、およびコンタクトデバイス１００、（２００）の（既製の）ケーブルの垂直軸
Ｌ  長手方向、コネクタ、コンタクトユニット１、コンタクトデバイス１００、（２００）の（既製の）ケーブルの長手方向軸、また挿入方向Ｓおよび／または引抜き方向Ａ
Ｌ１２４  ロックばね１２０の締付け点（Ｌ１２４、Ｌ１３０）に対する支持部１３４／２３４の（さらに遠隔の）支持端点２３４の長手方向の距離
Ｌ１３０  場合により長手方向Ｌにおける、取り付けられたロックばね長手方向端部１３０の（全体的な）長さ
Ｌ１４０  場合により長手方向Ｌにおける、自由なロックばね長手方向端部１４０の（全体的な）長さ
Ｑ  横断方向、コネクタ、コンタクトユニット１、コンタクトデバイス１００、（２００）の（既製の）ケーブルの横断軸
Ｓ  コネクタ、コンタクトユニット１、およびコンタクトデバイス１００、（２００）の（既製の）ケーブルの挿入方向、また個々の長手方向Ｌ
【図１】
2017168445.tif 000003
【図２】
2017168445.tif 000004
【図３】
2017168445.tif 000005
【図４】
2017168445.tif 000006
【図５】
2017168445.tif 000007
【図６】
2017168445.tif 000008
【図７】
2017168445.tif 000009
【図８】
2017168445.tif 000010
【外国語明細書】
2017168445000001.pdf